(57)【要約】本発明は、内側スロット（１０８）を有する内側筐体（１０２）、内側スロット（１０２）を介して配置される屈曲部（１１８）を有するローラブル・ディスプレイ（１０６）、及び、屈曲部（１１８）における負荷を低減するようローラブル・ディスプレイ（１０６）に対して作動可能に接続される負荷低減器（１００）を有する、ローラブル・ディスプレイ装置に係る。負荷低減器（１００）は、屈曲部（３１）の半径を増大すること、屈曲部（３１）の選択された層においてローラブル・ディスプレイの中立線を位置決めすること、及び／又は、屈曲部（３１）の循環を低減することによって作動する。
2008500593.tif 000002
【特許請求の範囲】
【請求項１】
ローラブル・ディスプレイ装置であって、
内側スロットを有する内側筐体と、
前記内側スロットを介して配置される屈曲部を有するローラブル・ディスプレイと、
前記屈曲部における負荷を低減するよう前記ローラブル・ディスプレイに対して作動可能に接続される負荷低減器と、
を有する、装置。
【請求項２】
前記ローラブル・ディスプレイは、第１の層と、前記第１の層上に配置される第２の層と、前記第２の層上に配置される第３の層と、を有し、
前記負荷低減器は、前記屈曲部の前記第３の層において形成される第１の溝を有する、
請求項１記載の装置。
【請求項３】
前記負荷低減器は、前記屈曲部の前記第１の層において形成される第２の溝を有する、
請求項１記載の装置。
【請求項４】
前記ローラブル・ディスプレイは、第１の層と、前記第１の層上に配置される第２の層と、前記第２の層上に配置される第３の層と、を有し、
前記負荷低減器は、前記屈曲部の前記第３の層において配置される代替物質部分を有する、
請求項１記載の装置。
【請求項５】
前記ローラブル・ディスプレイは、第１の層と、前記第１の層上に配置される第２の層と、前記第２の層上に配置される第３の層と、を有し、
前記負荷低減器は、前記屈曲部の前記第３の層上に配置される第４の層を有する、
請求項１記載の装置。
【請求項６】
前記内側筐体の周囲に回転可能な外側筐体を更に有し、
前記外側筐体は、外側スロットを有し、前記ローラブル・ディスプレイは、前記外側スロットを介して配置され、
前記負荷低減器は、前記外側スロットから第１の距離をおいて前記外側筐体において形成される第１のキャビティと、前記内側スロットから第２の距離をおいて位置決めされ、且つ前記外側筐体に向かわされるボルトと、を有し、
前記ボルトは、前記第１のキャビティと位置を合わせられる際に、第１のキャビティにおいて受けられ、前記第１の距離と前記第２の距離との間の違いは、前記ボルトが前記第１のキャビティと位置を合わせられる際に、前記内側スロットと前記外側スロットとの間に前記ローラブル・ディスプレイの所望の長さを与える、
請求項１記載の装置。
【請求項７】
前記ボルトの位置に応じてスイッチを更に有する、
請求項５記載の装置。
【請求項８】
前記スイッチは、駆動モータ力、電子力、電子作動モード、ローラブル・ディスプレイ画像力、及びローラブル・ディスプレイ接続部を有する群から選択された装置機能を切り替えるよう使用される、
請求項６記載の装置。
【請求項９】
前記ローラブル・ディスプレイは、前記ボルトが前記第１のキャビティと位置を合わせられない際、前記内側筐体に向かって前記ボルトを促す、
請求項５記載の装置。
【請求項１０】
前記外側スロットから第３の距離をおいて前記外側筐体において形成された第２のキャビティと、前記第１のキャビティと前記第２のキャビティとの間で前記外側筐体において形成される転移キャビティと、更に有する、
請求項５記載の装置。
【請求項１１】
前記第２の距離及び前記第３の距離は同等である、
請求項９記載の装置。
【請求項１２】
前記内側筐体は、電子機器を更に有し、前記ローラブル・ディスプレイは、前記電子機器に対して接続可能である接続部を更に有し、
前記接続部は、前記内側スロットが前記外側スロットと位置を合わせられる際、前記電子機器から着脱可能である、
請求項９記載の装置。
【請求項１３】
前記ボルトの運動に応じるスイッチを更に有し、
前記スイッチは、前記ボルトが前記第１のキャビティにおいて受けられる際に第１の状態を有し、前記ボルトが前記第２のキャビティにおいて受けられる際に第２の状態を有する、
請求項９記載の装置。
【請求項１４】
前記ボルトは、前記内側スロットから第３の距離まで可動であり、
前記内側スロットは、前記ボルトが前記第３の位置にある際に前記外側スロットと位置を合わせられる、
請求項５記載の装置。
【請求項１５】
前記ボルトに対して作動可能に接続されるフット部と、前記ローラブル・ディスプレイの接続部を受けるよう適合され且つラッチを有するディスプレイ接続部と、を更に有し、
前記フット部は、前記内側スロットが前記外側スロットと位置を合わせられる際に、前記ラッチと係合し、また前記ディスプレイ接続部から前記接続部を解放するよう適合される、
請求項１３記載の装置。
【請求項１６】
前記内側筐体の周囲に回転可能な外側筐体を更に有し、
前記負荷低減器は、前記内側筐体及び前記外側筐体のうち一方において形成される螺旋溝を有し、また、
ボルトは、前記内側筐体及び前記外側筐体のうち他方に対して作動可能に接続され、前記ボルトは、前記螺旋溝において配置される、
請求項１記載の装置。
【請求項１７】
ローラブル・ディスプレイ装置であって：
内側スロットを有する内側筐体と；
前記内側筐体の周囲に回転可能である外側筐体と；
前記内側スロットを介して配置される屈曲部を有する、ローラブル・ディスプレイと；
前記屈曲部における負荷を低減する手段と、
を有する、装置。
【請求項１８】
前記負荷低減器は、前記屈曲部の半径を増大する手段を有する、
請求項１６記載の装置。
【請求項１９】
前記負荷低減手段は、前記屈曲部の選択された層において前記ローラブル・ディスプレイの中立線を位置決めする手段を有する、
請求項１６記載の装置。
【請求項２０】
前記負荷低減手段は、前記屈曲部の循環を低減する手段を有する、
請求項１６記載の装置。
【請求項２１】
スイッチングの手段を更に有し、
前記スイッチング手段は、前記ローラブル・ディスプレイの位置に応じる、
請求項１６記載の装置。
【請求項２２】
ローラブル・ディスプレイ装置であって：
内側スロット及び開口を有する内側筐体と；
前記内側筐体の周囲に回転可能であり、外側スロット及びキャビティを有する外側筐体と；
前記内側スロット及び前記外側スロットを介して配置されるローラブル・ディスプレイと；
前記開口において摺動可能に配置されるボルトと；
前記外側筐体に向かって前記ボルトを促すスプリングと、
を有し、
前記ボルトは、前記ローラブル・ディスプレイの所望の長さが前記内側スロットと前記外側スロットとの間に位置付けられる際、前記キャビティにおいて受けられる、
装置。
【請求項２３】
スイッチを更に有し、
前記スイッチは、前記ボルトの位置に応じる、
請求項２１記載の装置。
【発明の詳細な説明】
【技術分野】
【０００１】
本発明は、全般的にローラブル・ディスプレイ装置（ｒｏｌｌａｂｌｅ  ｄｉｓｐｌａｙ  ｄｅｖｉｃｅ）に係り、より特には負荷低減（ｓｔｒａｉｎ  ｒｅｄｕｃｔｉｏｎ）を有するローラブル・ディスプレイ装置に係る。
【背景技術】
【０００２】
小型化及び伸ばされた処理能力は、電子機器の携帯性における大きな増大を近年可能にしてきている。複雑な装置は、ポケットサイズまで小さくされてきている。消費者は、携帯電話、音楽プレーヤ、ゲーム機、静止画及び動画デジタルカメラ、及びＧＰＳ機器等のかかる装置をいずれの所望する場所でも携帯及び使用することができる。それでも、多くの装置が近年は不撓性ガラスの光学ディスプレイを使用しているため、装置の寸法及び形状因子が光学ディスプレイによって制限されることは、頻繁にある。かかるディスプレイは、大きく、脆弱であり、また、損傷を受けた際に交換が困難である。
【０００３】
ガラスの光学ディスプレイの更なる携帯性を得るよう、またその問題点を防ぐよう、ローラブル・ディスプレイが開発されてきている。図１は、いずれも「Ａｐｐａｒａｔｕｓ  ｗｉｔｈ  Ｄｉｓｐｌａｙ」と題され且つ本願に参照として組み込まれる、Ｂａｓ  Ｊ．Ｅ．  ｖａｎ  Ｒｅｎｓによる国際公開第２００４／００１７０４  Ａ１号パンフレット（特許文献１）及び国際公開第２００４／０３１９２７  Ａ２号パンフレット（特許文献２）において開示される、ローラブル・ディスプレイの典型的な使用の正面図である。この実施例では、ローラブル・ディスプレイ３は、筐体４，５から図示される使用可能な位置へと広げられる。携帯電話１は、ローラブル・ディスプレイ２に入力を与える。他の実施例では、携帯電話又は他の電子機器等のローラブル・ディスプレイに対して入力を与える電子機器は、筐体の一方において封入される。
【０００４】
図２は、ローラブル・ディスプレイ装置の断面図である。ローラブル・ディスプレイ装置１０は、電子機器１４を収容する内筒等の内側筐体１２、及び、内側筐体１２の周囲に配置される外筒等の外側筐体１６を有する。内側筐体１２の壁は、内側スロット１３を形成し、外側筐体１６の壁は、外側スロット１７を形成する。ローラブル・ディスプレイ１８は、接続部２０、屈曲部２２、ロール部２４、及び、外付け部２６を有する。ローラブル・ディスプレイ１８は、接続部２０によって電子機器１４に対して接続され、屈曲部２２において内側スロット１３を通過し、内側筐体１２の周囲に巻きつき、外付け部２６において外側筐体１６を出る。作動中、ローラブル・ディスプレイ１８は、外側スロット１７を介してロール部２４を延ばすことによって使用の際に展開される。ロール部２４は、手動又はモータ力によって延ばされ且つ縮められる。
【０００５】
ローラブル・ディスプレイに関する１つの問題点は、使用の際にローラブル・ディスプレイを巻く及び展開する反復的負荷がローラブル・ディスプレイを損傷することである。ロール部２４は典型的には、内側筐体１２の周囲で漸進的で大きな半径の湾曲をなすため、応力及びその結果もたらされる負荷は、設計閾値を下回って制限され、損傷を防ぐ。１００マイクロメートルの厚さのローラブル・ディスプレイに対して７ミリメートルより大きい半径は、典型的に、ローラブル・ディスプレイの電気的活性領域における負荷を１パーセントの制限を下回って保持する。しかしながら、屈曲部２２におけるディスプレイ１８の鋭い屈曲は、設計閾値を超え、反復的負荷から長期にわたって（ｏｖｅｒ  ｔｉｍｅ）ローラブル・ディスプレイ１８を損傷する。ディスプレイの不具合の例には、回路故障、層間剥離、亀裂、及びバックリングが含まれる。かかる不具合は、ローラブル・ディスプレイが巻くこと及び展開することを妨げ得、ローラブル・ディスプレイの画質を低減させ得るか、あるいはローラブル・ディスプレイが機能することを妨げ得る。屈曲部２２における超過負荷はまた、接続部２０におけるローラブル・ディスプレイ１８の電子機器１４に対する接続を妨げ得る。
【０００６】
図３は、ローラブル・ディスプレイの一部分の断面図である。図示される例では、ローラブル・ディスプレイ３０は、第１の層３２、第２の層３４、及び第３の層３６を有する。典型的には、該層は、ローラブル・ディスプレイ３０を形成するよう、ともに積層加工される。第１の層３２は、典型的には、典型的には脆弱な電子層（ｅｌｅｃｔｒｏｎｉｃｓ  ｌａｙｅｒ）であるより薄い第２の層３４を支持する担体である。第３の層３６は、ユーザに対してテキスト又はグラフィカル情報を表示するよう第２の層３４からの電荷に応じる電子インク層である。ローラブル・ディスプレイ３０は、中立線（ｎｅｕｔｒａｌ  ｌｉｎｅ）３８を有する。中立線３８は、内側スロットを介して屈曲部又は内側筐体の周囲にロール部を屈曲させる際等のローラブル・ディスプレイ３０が屈曲される際に、応力を受けない。中立線３８の場所は、ローラブル・ディスプレイ３０を作る各層の厚さ及び弾性係数に依存する。屈曲される際ローラブル・ディスプレイ３０は、中立線３８の一側上で伸張し、他側上では圧縮される。最小設計半径より小さい半径へのローラブル・ディスプレイ３０の反復される循環（ｃｙｃｌｉｎｇ）は、ローラブル・ディスプレイ２０の不具合をもたらし得る。
【特許文献１】国際公開第２００４／００１７０４  Ａ１号パンフレット
【特許文献２】国際公開第２００４／０３１９２７  Ａ２号パンフレット
【発明の開示】
【発明が解決しようとする課題】
【０００７】
上述された不利点を克服する負荷低減を有するローラブル・ディスプレイを有することが望ましい。
【課題を解決するための手段】
【０００８】
本発明の１つの態様は、内側スロットを有する内側筐体、屈曲部を有するローラブル・ディスプレイ、内側スロットを介して配置されるローラブル・ディスプレイ、及び、屈曲部における負荷を低減するようローラブル・ディスプレイに対して作動可能に接続される負荷低減器（レデューサ）を有する、ローラブル・ディスプレイ装置を与える。
【０００９】
本発明の他の態様は、内側スロットを有する内側筐体、内側筐体の周囲に回転可能である外側筐体、内側スロットを介して配置される屈曲部を有するローラブル・ディスプレイ、及び、屈曲部の負荷を低減する手段を有する、ローラブル・ディスプレイ装置を与える。
【００１０】
本発明の他の態様は、内側スロット及び開港を有する内側筐体、内側筐体の周囲に回転可能であり、且つ外側スロット及びキャビティを有する外側筐体、内側スロット及び外側スロットを介して配置されるローラブル・ディスプレイ、開口において摺動可能に配置されるボルト、及び、外側筐体に向かってボルトを促すスプリングを有する、ローラブル・ディスプレイを与える。該ボルトは、ローラブル・ディスプレイの所望の長さが内側スロットと外側スロットとの間に位置付けられる際に、該キャビティにおいて受けられる。
【発明を実施するための最良の形態】
【００１１】
本発明の前述及び他の特性及び有利点は、添付の図面を参照し、現在望ましい実施例の以下の詳細な説明から更に明らかにされる。詳細な説明及び図面は、添付の請求項等によって定義付けられる本発明の範囲を制限するものではなく、本発明の単なる例証である。
【００１２】
同様の要素は同様の参照符号を有する図４乃至図６は、本発明に従って作られた負荷低減を有するローラブル・ディスプレイの屈曲部の断面図である。図４は、屈曲部の半径を増大することによる負荷低減の一例を与える。図５及び図６は、屈曲部の選択された層において中立線を位置決めすることによる負荷低減の例を与える。
【００１３】
図４を参照すると、ローラブル・ディスプレイの屈曲部３１は、典型的には夫々、担体、電子機器、及び電子インクの層である第１の層３２、第３の層３４、及び第３の層を有する。一実施例では、電子層は、負荷低減による保護の必要が最もある選択された脆弱な層である。他の実施例では、他の層は選択された層であり得る。層の定義は、別個の層に制限されないが、転移層を有する。例えば、図示される第２の層３４は、第１の層３２と第３の層３６との間の転移層であり得、第１の層３２及び第３の層３６は、積層加工、接着、又は同様のものによって接合される。負荷低減器４０は、巻かれる際ローラブル・ディスプレイの中心軸に対して平行である第１の層３２及び第３の層３６において形成される溝（ｃｈａｎｎｅｌ）４２を有する。溝４２は、内側筐体における内側スロットにおいて屈曲の半径を増大させる屈曲部３１においてローラブル・ディスプレイを薄くすることによって負荷低減器として作用する。より大きな屈曲半径は、反復的循環からの負荷を低減し、選択された脆弱な層を損傷から保護する。他の実施例では、単一の溝４２は、第１の層３２又は第３の層３６の両層ではなく一方において、負荷低減器４０として形成される。他の一実施例では、溝４２の厚さは、選択された層において屈曲部３１の中立線を位置決めするよう選択される。
【００１４】
図５及び図６は、屈曲部の選択された層において中立線を位置決めすることによる負荷低減の例を与える。図５は、層の１つにおいて代替物質部分（ａｌｔｅｒｎａｔｉｖｅ  ｍａｔｅｒｉａｌ  ｐｏｒｔｉｏｎ）を負荷低減器として使用し、図６は、追加的な層を負荷低減器として使用する。
【００１５】
図５を参照すると、負荷低減器４０は、巻かれる際にローラブル・ディスプレイの中心軸に対して平行である屈曲部３１の第３の層において配置される代替物質部分５４を有する。代替物質部分５４の物質は、本来の第３の層の物質５２とは異なる物質であり、その弾性係数に対して中立線３８が選択された層にあるよう選択される。代替物質部分５４は、中立線３８が所望の層に動くようより薄い、より厚い、又は第３の層の物質５２と同じ厚さ等のいかなる所望の厚さも有し得る。図示された例では、中立線３８は、代替物質部分５４の下方の第２の層３４において、また、本来の第３の層の物質５２の下方の第１の層３２において位置決めされる。第２の層３４は、典型的には脆弱な電子層である。ここで使用される通りに選択された層において中立線を位置決めすることは、選択された層の近くに中立線を位置決めすることを有する。中立線は、正確に選択された層上で所望の負荷低減をもたらす必要はない。負荷は、選択された層と中立線との間の距離に比例するため、距離におけるいかなる低減も応力低減を与える。一例では、効果的な応力低減は、１００マイクロメートルの厚さのディスプレイにおける２マイクロメートルの厚さの電子層の２０マイクロメートル以内に中立線を位置決めすることによって与えられる。
【００１６】
代替物質部分５４は、ポリマ、プラスチック、又は取り囲む物質に適合する他の物質を有して作られ得、所望の弾性係数を与える。例となる物質には、ポリアミド、ポリエチレン・テレフタレート（ＰＥＴ）、及び同様のものが有される。一実施例では、代替物質部分５４は、同様の物質を有して形成される。他の一実施例では、代替物質部分５４は、物質の層を有して形成される。更に他の一実施例では、代替物質部分５４は、他の物質において分散される球面又は空間等である２つ又はそれ以上の散在された物質を有して形成される。当業者は、中立線を正確に位置決めするよう中立線の両側又は一側上の他の層において追加的な他の物質が有され得る、ことを理解する。
【００１７】
図６を参照すると、負荷低減器４０は、屈曲部３１の選択された層において中立線３８を位置決めするよう屈曲部３１の第３の層３６上に配置される第４の層６２を有する。第４の層６２の厚さ及び弾性係数は、所望の通り中立線３８を位置決めするよう選択される。ここで使用される通りの選択された層において中立線を位置決めすることは、選択されたそうの近くに中立線を位置決めすることを有する。第４の層６２は、一定の層、あるいは球面又は層等のより複雑な構造において、単一又は複数の物質を有して形成され得る。第４の層６２は、ポリマ、プラスチック、又は取り囲む物質に適合する他の物質を有して作られ得、所望の弾性係数を与える。例となる物質には、ポリアミド、ポリエチレン・テレフタレート（ＰＥＴ）、及び同様のものが有される。当業者は、中立線を正確に位置決めするよう中立線の両側又は一側上に層が適用され得る、ことを理解する。
【００１８】
同様の要素は同様の参照符号を有する図７及び図８は、本発明に従って作られた負荷低減を有するローラブル・ディスプレイ装置の他の一実施例の斜視図である。図７及び図８は、夫々、外された及び係合された負荷低減器を示す。負荷低減器は、外側筐体内でローラブル・ディスプレイの所望の長さを保持し、屈曲分置ける循環及び反復的応力を低減する。
【００１９】
外側筐体１０４は、内側筐体１０２の周囲に回転可能に配置される。内側筐体１０２は内側スロット１０８を有し、外側筐体１０４は外側スロット１１４を有する。ローラブル・ディスプレイ１０６は、内側筐体１０２に対して接続され、ローラブル・ディスプレイ１０６が内側筐体１０２を通る内側筐体１０２の内側スロット１０８において位置決めされる屈曲部１１８を有する。ローラブル・ディスプレイ１０６は、外側筐体１０４の外側スロット１１４を通る。作動中、ローラブル・ディスプレイ１０６は、ローラブル・ディスプレイ１０６が外側筐体１０４へと縮められる際に、内側筐体１０２の周囲に巻く。
【００２０】
負荷低減器１００は、内側筐体１０２における開口１１２において摺動可能に配置されるボルト１１０、及び外側筐体１０４において形成されるキャビティ１１６を有する。リーフスプリング又はコイルスプリング等のスプリング（図示せず）は、ボルト１１０を外側筐体１０４に向かって促す。キャビティ１１６は、外側スロット１１４から第１の距離１０１に位置決めされ、開口１１２は、内側スロット１０８から第２の距離１０３に位置決めされる。一実施例では、キャビティ１１６は、外側筐体１０４の壁を通る。他の一実施例では、キャビティ１１６は、外側筐体１０４の壁へと分かれて通る。
【００２１】
図７を参照すると、ボルト１１０は、負荷低減器１００が外される際、ローラブル・ディスプレイ１０６によって開口１１２へと押される。ローラブル・ディスプレイ１０６は、ボルト１１０を外側筐体１０４から離す。図８を参照すると、ローラブル・ディスプレイ１０６は、ローラブル・ディスプレイ１０６が外側スロット１１４を介して展開される際、外側スロット１１４を介して動く。ボルト１１０がキャビティ１１６と位置合わせをされる際、ボルト１１０は、負荷低減器１００が係合されるようキャビティにおいて受けられる。一実施例では、係合される負荷低減器１００は、外側筐体１０４に対する内側筐体１０２の更なる運動を防ぐ。これは、ローラブル・ディスプレイ１０６の所望の長さが外側筐体１０４内にとどまり、屈曲部１１８上の循環及び反復負荷を防ぐことを確実なものとする。所望の長さは、ローラブル・ディスプレイ１０６の全長とは無関係であり、ローラブル・ディスプレイ装置が異なる長さのローラブル・ディスプレイを有して使用され得るようにする。ローラブル・ディスプレイ１０６が外側筐体１０４へと縮められる際、ローラブル・ディスプレイ１０６は、ボルト１１０を開口１１２に向かって促す。
【００２２】
図９は、本発明に従って作られる負荷低減を有するローラブル・ディスプレイ装置の延在するキャビティに対する他の一実施例の断面図である。延在するキャビティ１２２は、外側筐体１０４において形成される。延在するキャビティ１２２は、外側スロット１１４から第１の距離１０１における第１のキャビティ１１６、外側スロット１１４から第３の距離における第２のキャビティ１３２、及び、第１のキャビティ１１６と第２のキャビティ１３２とを接続する転移キャビティ１３０を有する。転移キャビティ１３０は、第１のキャビティ１１６の近くに隆起部１２８を有する。スプリング１３４は、内側筐体（図示せず）に対して結合されるボルト１１９を外側筐体１０４に向かって促す。
【００２３】
作動中、ボルト１１０は、ボルト１１０が内側筐体及び外側筐体１０４の相対的回転を介して第１のキャビティ１１６と位置合わせされるまで、ローラブル・ディスプレイ（図示せず）によって内側筐体に向かって押される。位置合わせされる際、ボルト１１０は、第１のキャビティ１１６、また、更に隆起部１２８によって妨げられる相対的回転において受けられる。ボルト１１０が第１のキャビティ１１６において受けられる際、ローラブル・ディスプレイの所望の長さは、屈曲部の循環を低減するよう、また、負荷低減を与えるよう、外側スロット１１４と内側スロット（図示せず）との間にとどまる。内側筐体と外側筐体１０４との間に十分なトルクを適用することによって、ボルト１１０は、隆起部１２８を通り、転移キャビティ１３０を通り、第２のキャビティ１３２へと回転する。内側筐体及び外側筐体１０４の相対的回転は、ボルト１１０が第２のキャビティ１３２において受けられる際に停止される。一実施例では、第３の距離１２１は、ボルト１１９と内側スロット（図８中の第２の距離１０３）との間の距離と同等であり、内側スロット及び外側スロット１１４は、ボルト１１０が第２のキャビティ１３２において受けられる際に位置合わせされる。内側スロットと外側スロット１１４の位置合わせは、ローラブル・ディスプレイの取外し及び交換を可能にする。ローラブル・ディスプレイ装置の特定の構造は、内側筐体内の電子機器及び電子機器に接続可能なローラブル・ディスプレイの接続部を与える。接続部は、内側スロットが外側スロット１１４と位置合わせされる際に電子機器から着脱可能である。
【００２４】
他の一実施例では、ボルト１１０は、ボルト１１０の位置に応じるスイッチ１２４に対して結合される。スイッチ１２４は、ボルト１１０の位置に依存して２つ又はそれ以上の状態を有する。一実施例では、スイッチ１２４は、ボルトがローラブル・ディスプレイによって外側筐体１０４から話される際に１つの状態を、ボルト１１０が第１のキャビティ１１６において受けられる際に他の状態を有する。他の一実施例では、スイッチ１２４は、例えば内側スロット及び外側スロット１１４が位置合わせされる際であるボルト１１０が第２のキャビティ１３２において受けられる際に、更に他の状態を有する。多種の実施例では、スイッチの状態は、ローラブル・ディスプレイを進める及び縮める駆動モータへのスイッチング力、内側筐体内の電子機器に対するスイッチング力、電子機器作動モードを切り替えること、ローラブル・ディスプレイ上の加増に対するスイッチング力、内側筐体におけるローラブル・ディスプレイの接続及び脱離を可能にするロックに対するスイッチング力、及び／又は、ローラブル・ディスプレイ装置の他の機能を制御するよう使用される。
【００２５】
図１０は、本発明に従って作られる負荷低減を有するローラブル・ディスプレイ装置の外側筐体に対する他の一実施例の平面図である。ボルトは、キャビティにおいて受けられず、外側スロット１１４がない外側筐体１０４の内壁上に形成される螺旋溝１４０において進む。螺旋溝１４０は、第１の端部１４２及び第２の端部１４４において停止される。内側筐体は、外側筐体１０４に対して所定の回数の回転を作り、展開されるべきローラブル・ディスプレイの所定の長さを可能にする。螺旋溝１４０の第１の端部１４２は、ローラブル・ディスプレイの所望の長さが外側筐体１０４内にとどまることを確実にするよう位置付けられ得る。当業者は、螺旋溝１４０及びボルトの場所が内側筐体の外壁上に形成される螺旋溝及び外側筐体に対して作動可能に取り付けられるボルトを有して逆転され得る、ことを理解する。他の一実施例では、ボルトは、スプリングを搭載されるのではなく、固定された長さを有する。
【００２６】
図１１は、本発明に従って作られる負荷低減を有するローラブル・ディスプレイ装置の更に他の一実施例の斜視図である。負荷低減器は、外側筐体内にローラブル・ディスプレイの所望の長さを保持し、屈曲部における循環及び反復的応力を低減する。外側スロット１１４及び内側スロット１１８の位置合わせは、ラッチ２０５がディスプレイ接続部２１２からローラブル・ディスプレイ１０６を解放することを可能にする。
【００２７】
外側筐体１０４は、内側筐体１０２の周囲に回転可能に配置される。内側筐体１０２は内側スロット１０８を有し、外側筐体１０４は外側スロット１１４を有する。ローラブル・ディスプレイ１０６は、ローラブル・ディスプレイ１０６が内側筐体１０２を通る内側筐体１０２の内側スロット１０８において位置決めされる屈曲部１１８を有する。ローラブル・ディスプレイ１０６は、外側筐体１０４の外側スロット１１４を通る。作動中、ローラブル・ディスプレイ１０６は、ローラブル・ディスプレイ１０６が外側筐体１０４へと縮められる際に、内側筐体１０２の周囲に巻く。
【００２８】
負荷低減器１００は、内側筐体１０２における開口において摺動可能且つ可動に配置されるボルト１１０、及び外側筐体１０４において形成されるキャビティ１１６を有する。リーフスプリング又はコイルスプリング等のスプリング２０１は、ボルト１１０を外側筐体１０４に向かって促す。一実施例では、キャビティ１１６は外側筐体１０４の壁を通る。他の一実施例では、キャビティ１１６は、外側筐体１０４の壁へと分かれて通る（ｐａｓｓ  ｐａｒｔ  ｗａｙ）。ボルト１１０とスプリング２０１は、取付け部２０２に対して作動可能に接続され、ピン２１０の周囲にピボットし、開口１１２の長さに沿ってボルト１１０を動かす。一実施例では、ピン２１０及びスプリング２０１は、内側筐体１０２のエンドキャップ（図示せず）によって支持される。ボルト１１０は、ボルト１１０が内側スロット１０８から離れた開口１１２の端部にある際には、内側スロット１０８からある距離をおき、ボルト１１０が内側スロット１０８に近い開口１１２の端部にある際には、内側スロット１０８から他の距離をおく。スプリング２０３は、取付け部及びボルト１１０を内側スロット１０８から離れた開口１１２の端部に向かって促す。フット部２０６は、取付け部２０２に対して作動可能に接続され、ローラブル・ディスプレイ１０６を切断するディスプレイ接続部２１２のラッチ２０５を係合するよう位置合わせをする。フット部２０６及びラッチ２０５との間の破線は、フット２０６の経路を示す。
【００２９】
ローラブル・ディスプレイ１０６の接続部２１６は、ディスプレイ接続部２１２によって電子機器（図示せず）に対して接続される。ディスプレイ接続部２１２は、接続ブロック２１４、スプリング（図示せず）によって接続ブロック２１４に向かって促されるクランプ機構２０４、及びラッチ２０５を有する。フット部２０６がラッチ２０５と係合し、接続ブロック２１４から離れてクランプ機構２０４を動かす際、ローラブル・ディスプレイ１０６の接続部２１６は、ディスプレイ接続部２１２から解放され、ローラブル・ディスプレイ１０６は交換され得る。当業者は、ディスプレイ接続部２１２がローラブル・ディスプレイ１０６を解放するようラッチを使用するローラブル・ディスプレイ１０６を有して機械的及び／又は電気的に係合可能であるいかなる接続でもあり得る、ことを理解する。
【００３０】
作動中、ボルト１１０は、負荷低減器１００が外される際、ローラブル・ディスプレイ１０６によって開口１１２へと押される。ローラブル・ディスプレイ１０６は、ボルト１１０を外側筐体１０４から離す。ローラブル・ディスプレイ１０６は、ローラブル・ディスプレイ１０６が外側スロット１１５を介して展開される際に、外側スロット１１４を介して動く。ボルト１１０がキャビティ１１６と位置合わせされる際、ボルト１１０は、負荷低減器１００が係合されるようキャビティ１１６において受けられる。係合される負荷低減器１００は、スプリング２０３の抵抗により、外側筐体１０４に対する内側筐体１０２の更なる運動に抵抗する。これは、ローラブル・ディスプレイ１０６の所望の長さが外側筐体１０４内にとどまり、屈曲部１１８上の循環及び反復的負荷を避ける。所望の長さは、ローラブル・ディスプレイ１０６の全長に無関係であり、ローラブル・ディスプレイ装置が異なる長さのローラブル・ディスプレイを有し手使用されることを可能にする。ローラブル・ディスプレイ１０６が外側筐体１０４へと縮められる際、ローラブル・ディスプレイ１０６は、ボルト１１０を開口１１２に向かって促す。
【００３１】
スプリング２０３の抵抗を克服するよう内側筐体１０２と外側筐体１０４との間の追加的なトルクの適用を介して、ボルト１１０は、内側スロット１０８のより近くで開口１１２の端部に動かされ得る。この位置では、外側スロット１１４及び内側スロット１０８は、位置合わせされ、ローラブル・ディスプレイ１０６の取外し及び交換を可能にする。フット部２０６は、ラッチ２０５を係合し、クランプ機構２０４を接続ブロック２１４から離して動かし、ローラブル・ディスプレイ１０６の接続部２１６を解放する。ローラブル・ディスプレイ１０６は、ディスプレイ接続部２１２において新しいローラブル・ディスプレイ１０６と交換され得る。交換後、ボルト１１０は、内側スロット１０８から離れて開口１１２の端部に向かって回転され、フット部２０６をラッチ２０５から外し、ディスプレイ接続部２１２がローラブル・ディスプレイ１０６の接続部２１６に対して接続する。
【００３２】
ここに開示される本発明の実施例は現時点で望ましいものとして考えられる一方、多種の変更及び修正は、本発明の範囲を逸脱せずになされ得る。当業者は、多種の設計が負荷低減器１００に対して可能である、ことを理解する。例えば、別個に上述された負荷低減の手法は、反復的負荷からのローラブル・ディスプレイの追加的な保護を作るよう組み合わされ得る。他の一実施例では、ボルト１１０は、外側筐体１０４に対して取り付けられ、キャビティを有する内側筐体１０２に向かって促される。本発明の範囲は、添付の請求項において示され、同様の意味及び範囲内における全ての変更は、そこに含有されるものとして意図される。
【図面の簡単な説明】
【００３３】
【図１】ローラブル・ディスプレイの典型的な使用の正面図である。
【図２】ローラブル・ディスプレイ装置の断面図である。
【図３】ローラブル・ディスプレイの一部分の断面図である。
【図４】本発明に従って作られた負荷低減を有するローラブル・ディスプレイの屈曲部の断面図である。
【図５】本発明に従って作られた負荷低減を有するローラブル・ディスプレイの屈曲部の断面図である。
【図６】本発明に従って作られた負荷低減を有するローラブル・ディスプレイの屈曲部の断面図である。
【図７】本発明に従って作られた負荷低減を有するローラブル・ディスプレイ装置の他の実施例の斜視図である。
【図８】本発明に従って作られた負荷低減を有するローラブル・ディスプレイ装置の他の実施例の斜視図である。
【図９】本発明に従って作られた負荷低減を有するローラブル・ディスプレイ装置の延在されるキャビティに対する他の実施例の断面図である。
【図１０】本発明に従って作られた負荷低減を有するローラブル・ディスプレイ装置の外側筐体に対する他の実施例の平面図である。
【図１１】本発明に従って作られた負荷低減を有するローラブル・ディスプレイ装置の他の実施例の斜視図である。
【図１】
2008500593.tif 000003
【図２】
2008500593.tif 000004
【図３】
2008500593.tif 000005
【図４】
2008500593.tif 000006
【図５】
2008500593.tif 000007
【図６】
2008500593.tif 000008
【図７】
2008500593.tif 000009
【図８】
2008500593.tif 000010
【図９】
2008500593.tif 000011
【図１０】
2008500593.tif 000012
【図１１】
2008500593.tif 000013
【国際調査報告】
2008500593.tif 000014
2008500593.tif 000015